Podtech/llm-jp-corpus-v4-ja_patent huggingface dataset:
(57)【要約】【課題】  携帯電話器の二次電池に充電を行うため、場合によっては充電器を携行する必要が有る。充電器を携行する事無く、二次電池に充電をおこなう装置を提供する。【解決手段】  携帯電話器本体外面に太陽電池を直接取付ける事により、他の充電装置を携行する必要もなく、携帯電話器に取付けた太陽電池により二次電池への充電を行う。【選択図】  図１
2005057983.tif 000002
【特許請求の範囲】
【請求項１】
携帯電話器本体に太陽電池を直接取り付け、太陽電池により得られる電力を携帯電話器の二次電池に供給し、充電することを特徴とする携帯電話器用太陽電池充電装置。
【発明の詳細な説明】
【発明の詳細な説明】
【技術分野】
【０００１】  本発明は、太陽電池により携帯電話器の二次電池を充電する携帯電話器用太陽電池充電装置に関するものである。
【背景技術】
【０００２】  従来、携帯電話器やＰＨＳには駆動用電源として、充電可能なニッケルカドミウム電池やリチウム電池等の二次電池が搭載され、その携帯電話器の充電器を用いて充電され使用されている。又、二次電池に充電する方法として、例えば特開平１１−１８７５８１号や特開２００１−３０８３５６号に記載された太陽電池を用いた携帯電話器の二次電池への充電方法が知られている。
【発明が解決しようとする課題】
【０００３】  携帯電話器は電話器本体に内蔵された二次電池により通話を可能としているため、随時この二次電池に充電を行わないと電池が切れ使用不可能となる。充電は通常屋内において専用の充電器により行うため、出張等の外出時電池切れにより携帯電話器が使用不可能になる可能性があり、充電器を携行しなければならない。また、従来の技術に記載したように太陽電池を利用した充電器は知られているが、携帯電話器に太陽電池充電器を外部接続する装置のため、必要に応じて携行する必要が有る。
本発明は、このような状況に鑑み、携帯電話器に太陽電池を直接取付け、太陽電池により二次電池への充電を行う携帯電話器一体型の携帯電話器用太陽電池充電装置を供給することを目的としている。
【課題を解決するための手段】
【０００４】  本発明による携帯電話器用太陽電池充電装置は、携帯電話器本体の外面に太陽電池を取り付け、二次電池への充電を行うものである。
【発明を実施するための最良の形態】
【０００５】  発明の実施の形態を実施例にもとずき図面を参照して説明する。
図１に従来の携帯電話器の概略外形に太陽電池を取付けた一例を示す。
透光性の太陽電池１を携帯電話器前面のディスプレイ部分に、太陽電池２を携帯電話器後面の上部に、太陽電池３を携帯電話器後面下部のバッテリー部分にそれぞれ取付ける。又、携帯電話器の他の部分、例えば側面等にも取付け可能である尚、太陽電池２および３は透光性太陽電池でも不透光性太陽電池でも可能である。
【発明の効果】
【０００６】  本発明は、以上説明したように構成されており、以下に記載されるような効果を奏する。
【０００７】  本発明による携帯電話器用太陽電池充電装置は携帯電話器へ直接、太陽電池を取付ける事によって、他の充電装置を携行する必要もなく、又、携帯電話器の使用時または不使用時に関わらず常時、携帯電話器の二次電池への充電を行う効果がある。
【図面の簡単な説明】
【図１】太陽電池の取付け図を示す。
【符号説明】
１  太陽電池
２  太陽電池
３  太陽電池
【図１】
2005057983.tif 000003